【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
アース接地抵抗率を測定する方法であって、
互いに通信するようになされたメインユニットおよび携帯可能なリモートユニットを含む試験用機器を提供するステップと、
前記試験用機器の前記メインユニットを少なくとも２つの電極に接続するステップと、
前記２つの電極の間に所定の電流を発生させるステップと、
前記電極間の電圧電位における降下を測定するステップと、
前記求められた電流の値および前記測定された電圧電位における降下の値に基づいて抵抗値を計算するステップと、
前記値のいずれかを前記携帯可能なリモートユニットに表示するステップと
を含むことを特徴とする方法。
【請求項２】
前記２つの電極は、互いから所定の間隔をおいて土壌中に設置され、前記電圧降下は、
前記携帯可能なリモートユニットに接続された少なくとも１つのプローブを、前記電流の経路に沿った前記土壌中に設置することにより測定されることを特徴とする請求項１に記載の方法。
【請求項３】
前記試験用機器は、前記携帯可能なリモートユニットに接続された電流クランプを含み、前記電極の前記抵抗の値の計算を可能にするために、前記クランプを前記電極のうちの１つの周りに設置して前記電極を通る前記電流を測定するステップをさらに含むことを特徴とする請求項１に記載の方法。
【請求項４】
前記携帯可能なリモートユニットは、前記メインユニットと無線通信リンクを介して通信することを特徴とする請求項１に記載の方法。
【請求項５】
前記無線通信リンクは、Ｚｉｇｂｅｅ（登録商標）、Ｂｌｕｅｔｏｏｔｈ（登録商標）もしくは無線ＬＡＮ、または携帯電話周波数の群から選択されたＲＦリンクを含むことを特徴とする請求項４に記載の方法。
【請求項６】
前記無線通信リンクは、赤外線リンクを含むことを特徴とする請求項４に記載の方法。
【請求項７】
前記メインユニットおよび前記携帯可能なリモートユニットのうちの少なくとも一方は、距離情報を得るための、ＧＰＳ受信機、レーザ、超音波機器、機械的機器のうちの少なくとも１つを備える距離測定手段を備え、前記距離情報は、各測定値の地理上の場所および３次元（３Ｄ）座標のうちの少なくとも１つを含むことを特徴とする請求項１に記載の方法。
【請求項８】
前記メインユニットおよび前記携帯可能なリモートユニットのうちの少なくとも一方は、前記抵抗値を計算する制御操作手段を備えることを特徴とする請求項１に記載の方法。
【請求項９】
アース接地抵抗率を測定する方法であって、
互いに通信するように構成されたメインユニットおよび携帯可能なリモートユニットを含む試験用機器を提供するステップと、
前記試験用機器を、少なくとも１つの電圧発生手段および少なくとも１つの電流測定手段に接続するステップと、
前記電圧発生手段および前記電流測定手段を、地中埋設システムの接地要素に接続するステップと、
所定の電圧を、前記電圧発生手段を使用して前記接地要素において発生させるステップと、
前記接地要素に沿って誘導された前記電流を、前記電流測定手段を使用して測定するステップと、
前記求められた電圧の値および前記測定された電流の値に基づいて抵抗値を計算するステップと、
前記値のうちのいずれかを前記携帯可能なリモートユニットに表示するステップと
を含むことを特徴とする方法。
【請求項１０】
電流測定手段は、前記携帯可能なリモートユニットに接続されたクランプを備えることを特徴とする請求項９に記載の方法。
【請求項１１】
前記携帯可能なリモートユニットは、前記メインユニットと無線通信リンクを介して通信することを特徴とする請求項９に記載のうちのいずれかの方法。
【請求項１２】
前記無線通信リンクは、Ｚｉｇｂｅｅ、Ｂｌｕｅｔｏｏｔｈもしくは無線ＬＡＮ、または携帯電話周波数の群から選択されることを特徴とする請求項１１に記載の方法。
【請求項１３】
前記無線通信リンクは、赤外線リンクであることを特徴とする請求項１１に記載の方法。
【請求項１４】
前記メインユニットおよび前記携帯可能なリモートユニットのうちの少なくとも一方は、距離情報を得るための、ＧＰＳ受信機、レーザ、超音波機器、機械的機器のうちの少なくとも１つを備える距離測定手段を備え、前記距離情報は、好ましくは、各測定値の地理上の場所および３次元（３Ｄ）座標のうちの少なくとも１つを含むことを特徴とする請求項９に記載の方法。
【請求項１５】
前記メインユニットおよび前記携帯可能なリモートユニットのうちの少なくとも一方は、前記抵抗値を計算する制御操作手段を備えることを特徴とする請求項９に記載の方法。
【請求項１６】
アース接地抵抗率を測定する装置であって、
メインユニットと携帯可能なリモートユニットとを有する試験用機器を備え、
前記メインユニットおよび前記携帯可能なリモートユニットは、互いに通信するようになされ、
前記試験用機器の前記メインユニットは、少なくとも２つの電極に接続され、
前記試験用機器は、
前記２つの電極の間に所定の電流を発生させ、
前記電極の間の電圧電位における降下を測定し、
前記求められた電流の値および前記測定された電圧電位における降下の値に基づいて抵抗値を計算し、
前記値のうちのいずれかを前記携帯可能なリモートユニットに表示するようになされたことを特徴とする装置。
【請求項１７】
前記２つの電極は、互いから所定の間隔をおいて土壌中に設置され、前記電圧降下は、
前記携帯可能なリモートユニットに接続された少なくとも１つのプローブを、前記電流の経路に沿った前記土壌中に設置することにより測定されることを特徴とする請求項１６に記載の装置。
【請求項１８】
前記試験用機器は、前記携帯可能なリモートユニットに接続され、前記電極の前記抵抗の値の計算を可能にするために前記電極のうちの１つの周りに設置され、前記電極を通る前記電流を測定するようになされた電流クランプを含むことを特徴とする請求項１６に記載の装置。
【請求項１９】
前記携帯可能なリモートユニットは、前記メインユニットと無線通信リンクによって通信するように構成されたことを特徴とする請求項１６に記載の装置。
【請求項２０】
前記無線通信リンクは、Ｚｉｇｂｅｅ、Ｂｌｕｅｔｏｏｔｈすなわち無線ＬＡＮまたは携帯電話周波数の群から選択されたＲＦリンクであることを特徴とする請求項１９に記載の装置。
【請求項２１】
前記無線通信リンクは、赤外線リンクであることを特徴とする請求項１９に記載の装置。
【請求項２２】
前記メインユニットおよび前記携帯可能なリモートユニットのうちの少なくとも一方は、好ましくは、距離情報を得るための、ＧＰＳ受信機、レーザ、超音波機器、機械的機器のうちの少なくとも１つを備える距離測定手段を備え、前記距離情報は、好ましくは、各測定値の地理上の場所および３次元（３Ｄ）座標のうちの少なくとも１つを含むことを特徴とする請求項１６に記載の装置。
【請求項２３】
前記メインユニットおよび前記リモートユニットのうちの少なくとも一方は、前記抵抗値を計算する制御操作手段を備えるようになされたことを特徴とする請求項１６に記載の装置。
【請求項２４】
アース接地抵抗率を測定する装置であって、
メインユニットと携帯可能なリモートユニットとを有する試験用機器を備え、
前記メインユニットおよび前記リモートユニットは、互いに通信するようになされ、
前記試験用機器は、少なくとも１つの電圧発生手段および少なくとも１つの電流測定手段に接続され、
前記電圧発生手段および前記電流測定手段は、地中埋設システムの接地要素に接続され、
前記試験用機器は、
所定の電圧を前記接地要素の中に前記電圧発生手段を使用して発生させ、
前記接地要素に沿った前記電流を前記電流測定手段を使用して測定し、
抵抗値を前記求められた電圧の値および前記測定された電流の値に基づいて計算し、
前記値のうちのいずれかを前記携帯可能なリモートユニットに表示するようになされたことを特徴とする装置。
【請求項２５】
電流測定手段は、前記携帯可能なリモートユニットに接続されたクランプを備えることを特徴とする請求項２４に記載の装置。
【請求項２６】
前記携帯可能なリモートユニットは、前記メインユニットと無線通信リンクを介して通信するように構成されたことを特徴とする請求項２４に記載の装置。
【請求項２７】
前記無線通信リンクは、Ｚｉｇｂｅｅ、Ｂｌｕｅｔｏｏｔｈもしくは無線ＬＡＮ、または携帯電話周波数の群から選択されたＲＦリンクであることを特徴とする請求項２６に記載の装置。
【請求項２８】
前記無線通信リンクは、赤外線リンクであることを特徴とする請求項２６に記載の装置。
【請求項２９】
前記メインユニットおよび前記携帯可能なリモートユニットのうちの少なくとも一方は、好ましくは、距離情報を得るための、ＧＰＳ受信機、レーザ、超音波機器、機械的機器のうちの少なくとも１つを備える距離測定手段を備え、前記距離情報は、好ましくは、各測定値の地理上の場所および３次元（３Ｄ）座標のうちの少なくとも１つを含むことを特徴とする請求項２４に記載の装置。
【請求項３０】
前記メインユニットおよび前記リモートユニットのうちの少なくとも一方は、前記抵抗値を計算する制御操作手段を備えることを特徴とする請求項２４に記載の装置。